(57)【要約】【課題】近年はアレルギーやアトピー等の問題があり、ダニ媒介性の新感染症等の発生、セアカゴケグモやアルゼンチンアリ等の外来生物等の被害もある。害虫が飛翔によらずに建物の外壁を伝って内部に侵入することを永続的に防止する方法があれば望ましい。【解決手段】害虫が建築物の外壁を伝い歩いて、換気口や各種管の接続部等の隙間や窓等から内部に侵入するのを防止するため、建築物の換気口等の進入口より下に、外壁に密着して害虫の進行を止め、粘着シート等の粘着材、防虫材、殺虫材等を設置し、雨風を防ぐための雨よけ部分を設置するのが基本構造であり、これを換気口等と地面との間の壁に、建築物周囲全体に隙間無く施工する。粘着材等を定期的に交換するために、雨よけ部分は蝶ボルト等の方法で簡単に取り外しできるのが望ましい。【選択図】図１
2014152540.tif 000002
【特許請求の範囲】
【請求項１】
害虫が建築物の外壁を伝い歩いて、換気口や各種管の接続部等の隙間や窓等から内部に侵入するのを防止するため、建築物の換気口等の進入口より下に、外壁に密着して害虫の進行を止め、暗い隙間を好む習性を利用して、害虫が入りたくなる暗い隙間部分を人為的に作って誘引し、そこに粘着シート等の粘着材、防虫材、殺虫材等を設置し、雨風を防ぐための雨よけ部分を設置するのが基本構造であり、これを換気口等と地面との間の外壁に、建築物周囲全体に隙間無く施工する。
予め設計したものではない通常の建築物では、壁に様々な隙間や凹凸があるため、その隙間をシーリング等の方法で埋めるためにも、また粘着材等を定期的に交換するためにも、密着部分と雨よけ部分は別々になっていて、雨よけ部分は蝶ボルト等の方法で簡単に取り外しできるのが望ましい。
雨よけ部分の裏側にもスペースがあるので、防虫材や殺虫材等をシートやテープ状にして交換し易くしたものを貼り付けることが可能である。
以上のような特徴を持った、害虫を防止する建築構造である。
【発明の詳細な説明】
【技術分野】
【０００１】
本発明は、害虫を防止する建築構造に関するものである。
【背景技術】
【０００２】
近年はアレルギーやアトピー等の問題があり、ダニ媒介性の新感染症等の発生、セアカゴケグモやアルゼンチンアリ等の外来生物等の被害もある。近年の建築物は、鉄筋コンクリート建築や木造住宅等でも基礎換気等の換気方法の技術で、害虫が侵入する隙間がないように見えるが、実際には換気口や各種管の接続部等の隙間があり、シロアリ対策のための防蟻処理をしていても、通常のアリ、クモ、ダニ、ムカデ、ダンゴムシ、ワラジムシ、ゴキブリ、カマドウマ等の害虫が歩いて通過する程度では効き目が無い可能性が高いことが実験等で報告されている。特に居住用、病院、老人ホーム、保育所幼稚園学校、飲食店スーパー食品産業等の衛生管理が必要な建築物については、内部の対策だけでなく、害虫が建物の外壁を伝って内部に侵入することを防止する手段の必要性が今後高まると予想される。特許文献１は木部を想定した防虫板の考案だが、壁の様々な隙間や凹凸にどうやって対応し、すべての外壁に施工するのか、歩いて通過する害虫に対して忌避性塗料が完全に効果があるのか、忌避効果が無くなったらどうするのかについて示されていない。
【先行技術文献】
【特許文献】
【０００３】
【特許文献１】昭６２-１０８４０９実用新案公報
【発明の概要】
【発明が解決しようとする課題】
【０００４】
近年はアレルギーやアトピー等の問題があり、ダニ媒介性の新感染症等の発生、セアカゴケグモやアルゼンチンアリ等の外来生物等の被害もある。近年の建築物は、鉄筋コンクリート建築や木造住宅等でも基礎換気等の換気方法の技術で、害虫が侵入する隙間もないように見えるが、実際には換気口や各種管の接続部等の隙間があり、シロアリ対策のための防蟻処理をしていても、通常のアリ、クモ、ダニ、ムカデ、ダンゴムシ、ワラジムシ、ゴキブリ、カマドウマ等の害虫が歩いて通過する程度では効き目が無い可能性が高いことが実験等で報告されている。特に居住用、病院、老人ホーム、保育所幼稚園学校、飲食店スーパー食品産業等の衛生管理が必要な建築物については、内部の対策だけでなく、害虫が建物の外壁を伝って内部に侵入することを防止する手段の必要性が今後高まると予想される。害虫が飛翔方法によらずに建物の外壁を伝って内部に侵入することを、永続的に防止する方法があれば望ましい。
【課題を解決するための手段】
【０００５】
害虫が建築物の外壁を伝い歩いて、換気口や各種管の接続部等の隙間や窓等から内部に侵入するのを防止するため、建築物の換気口等の進入口より下に、外壁に密着して害虫の進行を止め、暗い隙間を好む習性を利用して、害虫が入りたくなる暗い隙間部分を人為的に作って誘引し、そこに粘着シート等の粘着材、防虫材、殺虫材等を設置し、雨風を防ぐための雨よけ部分を設置するのが基本構造であり、これを換気口等と地面との間の外壁に、建築物周囲全体に隙間無く施工する。
予め設計したものではない通常の建築物では、壁に様々な隙間や凹凸があるため、その隙間をシーリング等の方法で埋めるためにも、また粘着材等を定期的に交換するためにも、密着部分と雨よけ部分は別々になっていて、雨よけ部分は蝶ボルト等の方法で簡単に取り外しできるのが望ましい。
雨よけ部分の裏側にもスペースがあるので、防虫材や殺虫材等をシートやテープ状にして交換し易くしたものを貼り付けることが可能である。
壁密着部分の入口は傾斜していて、害虫の触覚等が粘着材等を感知できないようにするのが望ましい。
靴等に害虫が付着する可能性もあるので、玄関と室内の段差部分にも設置するのが理想的で、新築で施工する場合は出っ張りがないように壁に内蔵する構造であれば尚望ましい。
以上のような特徴を持った、害虫を防止する建築構造である。
【発明の効果】
【０００６】
本発明によって、害虫が飛翔方法によらずに地面から建築物の外壁を伝って換気口等から建物全体に侵入することを大部分かつ永続的に防止することが可能になる。
新築建築物はもちろんのこと、既存の建築物であっても、この構造を施工したのちに、内部の害虫駆除を十分にすることにより、新たな害虫の侵入や定着、増殖等はかなり防止することが出来る。
健康問題や感染症問題や衛生問題等が消費者の重要な関心事である昨今、この構造を施工している建築物は、健康住宅等として消費者や入居者等に十分アピールすることが出来る。
【図面の簡単な説明】
【０００７】
【図１】構造の断面図
【図２】構造の平面図（建築物の角に施工する部材の例）
【発明を実施するための形態】
【０００８】
害虫が建築物の外壁を伝い歩いて、換気口や各種管の接続部等の隙間や窓等から内部に侵入するのを防止するため、建築物の換気口等の進入口より下に、外壁に密着して害虫の進行を止め、暗い隙間を好む習性を利用して、害虫が入りたくなる暗い隙間部分を人為的に作って誘引し、そこに粘着シート等の粘着材、防虫材、殺虫材等を設置し、雨風を防ぐための雨よけ部分を設置するのが基本構造であり、これを換気口等と地面との間の外壁に、建築物周囲全体に隙間無く施工する。
予め設計したものではない通常の建築物では、壁に様々な隙間や凹凸があるため、その隙間をシーリング等の方法で埋めるためにも、また粘着材等を定期的に交換するためにも、密着部分と雨よけ部分は別々になっていて、雨よけ部分は蝶ボルト等の方法で簡単に取り外しできるのが望ましく、その素材はゴム状等の柔軟性と強度を併せ持つ素材が望ましい。
雨よけ部分の裏側にもスペースがあるので、防虫材や殺虫材等をシートやテープ状にして交換し易くしたものを貼り付けることが可能である。
壁密着部分の入口は傾斜していて、害虫の触覚等が粘着材等を感知できないようにするのが望ましい。
雨よけ部分と壁との隙間は、大型のクモやムカデやゴキブリ等が、ジャンプして飛び越えることがない程度に開いていることが望ましい。
靴等にごく小さなダニや幼虫等が付着して建物内部で増殖する可能性もあるので、玄関と室内の段差部分にも設置するのが理想的で、新築で施工する場合は出っ張りがないように壁に内蔵する構造であれば尚望ましい。
以上のような特徴を持った、害虫を防止する建築構造である。
本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【産業上の利用可能性】
【０００９】
本発明によって、害虫が飛翔方法によらずに地面から建築物の外壁を伝って換気口等から建物全体に侵入することを大部分かつ永続的に防止することが可能になる。
新築建築物はもちろんのこと、既存の建築物であっても、この構造を施工したのちに、内部の害虫駆除を十分にすることにより、新たな害虫の侵入や定着、増殖等はかなり防止することが出来る。
健康問題や感染症問題や衛生問題等が消費者の重要な関心事である昨今、この構造を施工している建築物は、健康住宅等として消費者や入居者等に十分アピールすることが出来る。
【符号の説明】
【００１０】
１  壁密着設置部分
２  粘着材、防虫材、殺虫材等を貼り付け可能な部分
３  雨よけ部分
４  建築物の角に施工する部材の例
【図１】
2014152540.tif 000003
【図２】
2014152540.tif 000004